(57)【要約】【課題】本考案は円筒状のウエットティッシュ容器を卓上に載置した状態で使用しても、ウエットティッシュが片手で確実に一枚ずつ引出すことが可能となると共にウエットティッシュ容器が簡単に着脱でき、且つ、移動が容易となるウエットティッシュ用重量台座を提供することを目的とする。【解決手段】略円盤状の重量台座本体１の上部に、ウエットティッシュ容器６の下部を挿入する収納穴２が設けられ、該収納穴２の周囲に、ウエットティッシュ容器６の下部を係合するための係合手段３が設けられ、且つ、重量台座本体１にストッパー付き転動手段４が具備された構造とする。又、前記構造に対して、ストッパー付き転動手段４を具備せずに、錘を埋設した重量台座本体１の底面に滑止部材を備えたものとしても良い。【選択図】図１
0003150979.tif 000002
【実用新案登録請求の範囲】
【請求項１】
円筒状のウエットティッシュ容器（６）の下部に装着するものであって、略円盤状の重量台座本体(１)の上部には、前記ウエットティッシュ容器（６）の下部を挿入する収納穴（２）が設けられ、該収納穴（２）の周囲には、前記ウエットティッシュ容器（６）の下部を係合するための係合手段（３）が設けられ、且つ、前記重量台座本体(１)にストッパー付き転動手段（４）が具備されたことを特徴とするウエットティッシュ用重量台座。
【請求項２】
円筒状のウエットティッシュ容器（６）の下部に装着するものであって、錘（11）を埋設した略円盤状の重量台座本体(１)の上部には、前記ウエットティッシュ容器（６）の下部を挿入する収納穴（２）が設けられ、該収納穴（２）の周囲には、前記ウエットティッシュ容器（６）の下部を係合するための係合手段（３）が設けられ、且つ、前記重量台座本体(１)の底面に滑止部材（５）が備えられたことを特徴とするウエットティッシュ用重量台座。
【請求項３】
前記係合手段（３）が、前記収納穴（２）の周壁（21）の上縁を内側に折曲した挟持部（31）と、該挟持部（31）から前記周壁（21）の下方に向って刻設した複数の縦溝（32）とから成された請求項１又は２記載のウエットティッシュ用重量台座。
【請求項４】
前記ストッパー付き転動手段（４）が、回転自在なメインボール（41a）を有したフリーベアユニット（41）と、該フリーベアユニット（41）を接地面から浮かせるためのストッパー部材（42）とから成され、且つ、前記フリーベアユニット（41）がメインボール（41a）と、それを支える多数の小ボール（41b）と、前記メインボール（41a）と前記小ボール（41b）を収納する収納容器（41c）とから成され、更に前記ストッパー部材（42）が、前記重量台座本体(１)の外周に配置した上下移動可能な外筒（42a）と、前記重量台座本体(１)に固定するピン（42b）と、該ピン（42b）を挿入すると共に摺動させて前記外筒（42a）が上下移動するように刻設した溝（42c）とから成された請求項１のウエットティッシュ用重量台座。
【請求項５】
前記滑止部材（５）が、ゴム或いはフェルトである請求項２記載のウエットティッシュ用重量台座。
【考案の詳細な説明】
【技術分野】
【０００１】
本考案は円筒状のウエットティッシュ容器を卓上に載置した状態で使用する際、ウエットティッシュが片手であっても確実に一枚ずつ引出すことが可能となるウエットティッシュ用重量台座に関する。
【背景技術】
【０００２】
従来、箱状のティッシュケースに於いて、片手でティッシュペーパーを一枚引出そうとすると、ティッシュケースが浮き上がるので、他方の手でティッシュケースを押え、両手を使用しなくてはならない場合が多くあった。このため、ティッシュペーパーが片手で一枚ずつ引出すことが可能となるものとして、特開平８−１７５５７７号に於いて「ティッシュ類収納ケース」が提案されている。この構造は、ティッシュ類を載置する矩形状の基台と、ティッシュ類を一枚ずつ引出すための開口部を有する適宜重量、例えば７０グラムのカバーとから成るものであり、ティッシュ類全体を内部に入れるものであった。又、その効果は、基台に載置したティッシュ類の上からカバーが被蓋され、該カバーの自重でティッシュ類を適宜の強さで押圧しつつ、該ティッシュ類をカバーの開口部から一枚ずつ引出し得るようにしたものであり、使用者は片手でティッシュ類を一枚ずつ簡単に取出すことができるものであった。
【０００３】
しかしながら、ウエットティッシュ積層体を密閉容器内に封入し、容器上面の取出口から容器内部のウエットティッシュを順次一枚ずつ剥がしながら引出すようにしたものが汎用（市販）されているが、このウエットティッシュを一枚ずつ取出口から引出す場合は、取出口から湿気が出にくい構造になっていると共に積層体から一枚ずつ剥がしながら引出すので、ウエットティッシュを一枚ずつ引出すためには大きな力が要るため、ティッシュペーパーを一枚引出す時に比べると、数十倍の力が必要となる。従って、ウエットティッシュを引出す際は、片手で容器を押え、他方の手で取出口を開け、且つ、取出口から容器内部のウエットティッシュを一枚ずつ引出しているのが殆どである。このように両手を使用しないとウエットティッシュを一枚ずつ取出口から引出すことができないのが現状である。尚、特開平８−１７５５７７号をウエットティッシュ用に応用することは極めて容易なものではない。
【０００４】
このため近年に於いては、ウエットティッシュを片手だけで取出せるものとして、特開２００５−６６０７６の「ウエットティッシュ容器の取付ホルダー」が提案されている。この構造は矩形状のウエットティッシュ容器を、その取出口を外方に露出して挿入嵌合させる嵌合筒を備え、該嵌合筒外面より室内固定板に固定が可能な固定板を延設したものであり、前記ウエットティッシュ容器の前壁が、フランジで且つ四隅に係合穴が穿設されていると共にシート状蓋体が貼着され、更にウエットティッシュ容器が函型を成している。また前記嵌合筒の前壁にもフランジが形成され且つ四隅に係合突起が突設されている。
【０００５】
しかしながら、特開２００５−６６０７６は、ウエットティッシュ容器は特殊なものとなり、且つ、取付ホルダーは、汎用の円筒状のウエットティッシュ容器には適用できない専用のホルダーとなっていた。しかも、トイレットペーパー保持具の上方や壁面等に固定するものであり、移動する目的のものではなかった。従って、特開２００５−６６０７６は、本考案のように卓上などに載置し且つ移動可能状態で使用することができないものであった。
【先行技術文献】
【特許文献】
【０００６】
【特許文献１】特開２００５−６６０７６号公報
【特許文献２】特開平８−１７５５７７号公報
【考案の概要】
【考案が解決しようとする課題】
【０００７】
本考案は円筒状のウエットティッシュ容器を卓上に載置した状態で使用しても、ウエットティッシュが片手で確実に一枚ずつ引出すことが可能となると共にウエットティッシュ容器が簡単に着脱でき、且つ、移動が容易となるウエットティッシュ用重量台座を提供することを目的とする。
【課題を解決するための手段】
【０００８】
本考案は上記現状に鑑み成されたものであり、つまり、略円盤状の重量台座本体の上部に、ウエットティッシュ容器の下部を挿入する収納穴が設けられ、該収納穴の周囲に、ウエットティッシュ容器の下部を係合するための係合手段が設けられ、且つ、重量台座本体にストッパー付き転動手段が具備された構造とする。又、前記構造に対して、ストッパー付き転動手段を具備せずに、重量台座本体の底面に滑止部材を備えたものとしても良い。更に前記係合手段として、収納穴の周壁の上縁を内側に折曲した挟持部と、該挟持部から周壁の下方に向って刻設した複数の縦溝とから成すのが好ましい。前記ストッパー付き転動手段として、回転自在なメインボールを有したフリーベアユニットと、該フリーベアユニットを接地面から浮かせるためのストッパー部材とから構成させ、且つ、前記フリーベアユニットが、メインボールと、それを支える多数の小ボールと、メインボールと小ボールを収納する収納容器とから成され、前記ストッパー部材として、重量台座本体の外周に配置した上下移動可能な外筒と、重量台座本体に固定するピンと、該ピンを挿入すると共に摺動させて外筒が上下移動するように刻設した溝とから成したものとしても良い。更に前記滑止部材にゴム或いはフェルトを用いるのが良い。
【考案の効果】
【０００９】
請求項１のように略円盤状の重量台座本体(１)の上部には、ウエットティッシュ容器（６）の下部を挿入する収納穴（２）が設けられ、該収納穴（２）の周囲には、ウエットティッシュ容器（６）の下部を係合するための係合手段（３）が設けられ、且つ、重量台座本体(１)にストッパー付き転動手段（４）が具備されることにより、円筒状のウエットティッシュ容器（６）を卓上に載置した状態で使用しても、ウエットティッシュが片手で確実に一枚ずつ引出すことが可能となると共にウエットティッシュ容器（６）が簡単に着脱でき、且つ、本考案品の移動が簡単に行えるものとなる。また片手が不自由な人にも簡単にウエットティッシュの引出しが行えると共に移動させることも容易なものとなる。
【００１０】
請求項２のように錘（11）を埋設した略円盤状の重量台座本体(１)の上部には、ウエットティッシュ容器（６）の下部を挿入する収納穴（２）が設けられ、該収納穴（２）の周囲には、ウエットティッシュ容器（６）の下部を係合するための係合手段（３）が設けられ、且つ、重量台座本体(１)の底面に滑止部材（５）が備えられることにより、請求項１と同様に片手でウエットティッシュの引出しが行えると共に構造が簡単であるので、本考案品の取扱いが簡単で且つ安価に提供できるものとなる。
【００１１】
請求項３に示すように係合手段（３）として、収納穴（２）の周壁（21）の上縁を内側に折曲した挟持部（31）と、該挟持部（31）から周壁（21）の下方に向って刻設した複数の縦溝（32）とから成すことにより、重量台座本体(１)と一体に合成樹脂などで成型することができ、ウエットティッシュ容器（６）の下部を押圧して挿入すれば簡単に係合されて装着できるものとなる。
【００１２】
請求項４に示すようにストッパー付き転動手段（４）が、回転自在なメインボール（41a）を有したフリーベアユニット（41）と、該フリーベアユニット（41）を接地面から浮かせるためのストッパー部材（42）とから成され、且つ、前記フリーベアユニット（41）がメインボール（41a）と、それを支える多数の小ボール（41b）と、メインボール（41a）と小ボール（41b）を収納する収納容器（41c）とから成され、更に前記ストッパー部材（42）が、重量台座本体(１)の外周に配置した上下移動可能な外筒（42a）と、前記重量台座本体(１)に固定するピン（42b）と、該ピン（42b）を挿入すると共に摺動させて外筒（42a）が上下移動するように刻設した溝（42c）とから成されたものとすることにより、本考案品の移動が極めてスムーズに行えると共に安定して固定することも簡単に行えるものとなる。
【００１３】
請求項５のように滑止部材（５）として、ゴム或いはフェルトを用いれば、本考案品を卓上に載置した際にズレにくく、且つ、本考案品を持上げれば、何処にでも移動することが出来るものとなる
【図面の簡単な説明】
【００１４】
【図１】本考案の１実施例を示す説明図である。
【図２】１実施例の要部分解部品を示す斜視図である。
【図３】本考案の別実施例を示す説明図である。
【図４】別実施例の要部分解部品を示す斜視図である。
【考案を実施するための形態】
【００１５】
ウエットティッシュが片手で確実に一枚ずつ引出すことが可能とすると共にウエットティッシュ容器（６）の着脱が簡単に出来るという目的を、重量台座本体(１)と、その上部に収納穴（２）と係合手段（３）を設けた簡易部材で実現可能とした。
【実施例１】
【００１６】
図１、図２は本考案の１実施例を示す図であり、これに基づき説明する。(１)は略円盤状の重量台座本体であり、該重量台座本体(１)の材料としては、金属や合成樹脂などを用いると良いが、円柱状のウエットティッシュ容器（６）の下部に取付け、ウエットティッシュを引出す際にウエットティッシュ容器（６）が浮き上がることなく、片手で１枚ずつ引出せる重量が確保出来るものであれば、他の材料でも良い。この時の重量台座本体(１)の重量としては、約１５００グラム程度以上であるのが好ましい。尚、前記重量台座本体(１)はムクの材料に限定されるものではなく、図３に示すようなコンクリートや鉛などの錘（11）を埋設する合成樹脂製としても良い。（２）は重量台座本体(１)の上部に設けられ、且つ、ウエットティッシュ容器（６）の下部を挿入する収納穴であり、該収納穴（２）の周壁（21）は、ウエットティッシュ容器（６）の下部の着脱をし易くするために若干上方広がりと成しており、且つ、弾性を有した形状或いは材料が用いられている。（３）は収納穴（２）の周囲には、前記ウエットティッシュ容器（６）の下部を係合するための係合手段であり、該係合手段（３）には、収納穴（２）の周壁（21）の上縁を内側に折曲した挟持部（31）と、該挟持部（31）から周壁（21）の下方に向って刻設した複数の縦溝（32）とがある。この縦溝（32）はウエットティッシュ容器（６）の下部の着脱をし易くするためのものである。尚、前記係合手段（３）は上記構造に限定されるものではなく、ウエットティッシュ容器（６）の下部が簡単に着脱できる構造であれば良い。又、本考案で言う係合手段（３）には掛止や係止可能なものも含むものとする。更に前記ウエットティッシュ容器（６）の下部にネジ部を設け、それに螺合するネジ穴を重量台座本体(１)の上部に設けた係合手段（３）としても良い。
【００１７】
（４）は重量台座本体(１)に具備されたストッパー付き転動手段であり、該ストッパー付き転動手段（４）には、回転自在なメインボール（41a）を有した複数のフリーベアユニット（41）と、該フリーベアユニット（41）を接地面から浮かせるためのストッパー部材（42）とがある。また前記フリーベアユニット（41）は重量台座本体(１)の下部に３箇所以上埋め込まれており、このフリーベアユニット（41）の構造は、メインボール（41a）と、それを支える多数の小ボール（41b）と、メインボール（41a）と小ボール（41b）を収納する収納容器（41c）とから成されている。前記フリーベアユニット（41）としては、フリーベアコーポレーション製で下穴に埋め込むか或いは取付けることが可能なフリーベア製品一覧の内、プレス成型品（上向き用）スチール製を用いるのが好ましい。尚、前記フリーベアユニット（41）は重量台座本体(１)の下部に埋め込まれるタイプに限定されるものではなく、重量台座本体(１)がスムーズに移動できるものであれば他の構造のものでも良い。一方、前記ストッパー部材（42）は、重量台座本体(１)の外周に配置した上下移動可能な外筒（42a）と、重量台座本体(１)に固定するピン（42b）と、該ピン（42b）を挿入すると共に摺動させて外筒（42a）が上下移動するように刻設した溝（42c）とから成されている。尚、前記フリーベアユニット（41）などの転動部材に停止（ストッパー）機能が付与できるものであれば他の構造のもの、例えばローラーや小さなキャスターなどでも良い。
【００１８】
次に本考案の使用方法について説明する。先ず始めにウエットティッシュ容器（６）の下部に本考案品を装着する場合は、予め卓上に重量台座本体(１)を載置させておき、ウエットティッシュ容器（６）の下部を収納穴（２）に挿入するように押圧する。すると挟持部（31）が広がってウエットティッシュ容器（６）の下部が挿入され、その後、挟持部（31）の先端がウエットティッシュ容器（６）の外周を押圧すると共にウエットティッシュ容器（６）の段部に係合するのである。この時、重量台座本体(１)がフリーベアユニット（41）によって移動可能であるが、装着しにくい場合はストッパー機能を働かせておくと良い。
【００１９】
次にウエットティッシュを引出す場合について説明する。先ず、ウエットティッシュ容器（６）上面の蓋を片手で開け、取出口から容器内部のウエットティッシュを一枚引出す。この時は、従来の如きウエットティッシュ容器（６）を片手で押える必要はなくなるので、両手を使うことなくウエットティッシュが一枚ずつ取出口から確実に引出されるのである。つまり、取出口からウエットティッシュを一枚引出す力よりも、本考案品の重量が大きくなっているため、ウエットティッシュ容器（６）が持上がることもなく、容易にウエットティッシュを一枚ずつ確実に引出して取出せるものとなるのである。この時は、ストッパー付き転動手段（４）のストッパー機能を働かせておくと良い。
【００２０】
このストッパー付き転動手段（４）のストッパー機能について説明する。図１の状態はメインボール（41a）が卓上面に接地されており、重量台座本体(１)が移動可能の状態である。この時は、外筒（42a）が卓上面に接地せずに離れた状態であり、図２に示すピン（42b）の位置は図２に示す溝（42c）の下部に位置している状態である。先ず収納穴（２）の周壁（21）或いはウエットティッシュ容器（６）の外周を片手で持ち上げ、他方の手でピン（42b）が溝（42c）の上方へ沿って摺動するように外筒（42a）を回転させると、ピン（42b）が溝（42c）の上部に位置する状態になる。これを卓上面に載置すると、図１に示す一点鎖線のように外筒（42a）が卓上面に接地し、フリーベアユニット（41）が接地面から浮いた状態になり、ストッパー機能が働くのである。尚、前記ストッパー機能を解除する場合には、外筒（42a）を逆回転させ、ピン（42b）を溝（42c）の下部に位置する状態にすれば良い。
【００２１】
次に本考案からウエットティッシュ容器（６）を取外す場合は、重量台座本体(１)を片手で押えて固定し、ウエットティッシュ容器（６）を傾けて捩るようにすると、挟持部（31）がウエットティッシュ容器（６）の外周から離れ、係合状態が崩れるため、その崩れ具合が全周に渡るようにウエットティッシュ容器（６）を傾けながら回転させれば、係合状態が解除され、挟持部（31）からウエットティッシュ容器（６）が離れるのである。その後、新しいウエットティッシュ容器（６）を上記要領で本考案品に装着すれば良い。
【実施例２】
【００２２】
図３、図４は本考案の別実施例を示す図であり、１実施例に比べ、ストッパー付き転動手段（４）を設けず、重量台座本体(１)の底面にゴム或いはフェルトの滑止部材（５）を貼着し、且つ、重量台座本体(１)に錘（11）を埋設したものであり、他の収納穴（２）と係合手段（３）は同一である。
【００２３】
次に本考案の別実施例の使用方法について説明する。１実施例と同様にウエットティッシュ容器（６）の下部に本考案品を装着すれば良い。又、ウエットティッシュを引出す場合は、ウエットティッシュ容器（６）上面の蓋を片手で開け、取出口から容器内部のウエットティッシュをその片手で一枚ずつ引出して取出す。この時は、従来の如きウエットティッシュ容器（６）を押えて固定する必要がなくなり、両手を使う必要はなくなるのである。次にウエットティッシュ容器（６）を移動する場合は、全体を手で持上げて移動すれば良い。更に本考案からウエットティッシュ容器（６）を取外す場合は、１実施例と同様に行えば良い。
【００２４】
このように本考案品を使用することにより、ウエットティッシュ容器（６）の着脱が簡単に行え、且つ、ウエットティッシュ容器（６）上面の取出口から内部のウエットティッシュを一枚ずつ確実に片手で引出せるようになるため、病院や介護施設或いは乳幼児施設などで本考案品を使用すれば、片手が塞がっている時や汚れた時であっても、ウエットティッシュを他方の手で且つ簡単に引出せ、物や身体をきれいに拭く作業或いはおむつ交換などの作業に便利である。特に片手が不自由な人がウエットティッシュ容器（６）を卓上で移動させる際、ストッパー付き転動手段（４）が設けられていると、片手で簡単に移動できるものとなる。
【符号の説明】
【００２５】
１  重量台座本体
11  錘
２  収納穴
21  周壁
３  係合手段
31  挟持部
32  縦溝
４  ストッパー付き転動手段
41  フリーベアユニット
41a  メインボール
41b  小ボール
41c  収納容器
42  ストッパー部材
42a  外筒
42b  ピン
42c  溝
５  滑止部材
６  ウエットティッシュ容器
【図１】
0003150979.tif 000003
【図２】
0003150979.tif 000004
【図３】
0003150979.tif 000005
【図４】
0003150979.tif 000006